(57)【要約】  本発明は、漢字入力方法および装置に関するものである。本発明は、 前記基本字がそれぞれ割り当てられた複数の基本字キー１１と、前記姿勢字がそれぞれ割り当てられた複数の姿勢字キー１２を含んで構成されるキー入力部１０；前記キー入力部１０の入力信号による文字を出力する表示部２０；漢字を基本字分類コードまたは姿勢字分類コードに対応させて保存する文字分類コード保存部４０；基本字分類コードまたは姿勢字分類コードに対応する漢字を前記分子分類コード保存部４０で読出す文字形成部５０；および前記キー入力部１０の入力信号に対応する基本字分類コードまたは姿勢字分類コードを前記文字形成部５０に伝達して対応する漢字を読出すようにし、前記読出した漢字の伝達を受けて前記表示部２０に出力させる制御部３０；を含んでなる。
2010525482.tif 000002
【特許請求の範囲】
【請求項１】
漢字を形成する基本画を複数の基本画分類群に分類した後に各基本画分類群で選定される基本字および姿勢字を用いて漢字を入力する漢字入力装置において、
前記基本字がそれぞれ割り当てられた複数の基本字キーと、前記姿勢字がそれぞれ割り当てられた複数の姿勢字キーを含んで構成されるキー入力部；
前記キー入力部の入力信号による文字を出力する表示部；
漢字を基本字分類コードまたは姿勢字分類コードに対応させて保存する文字分類コード保存部；
基本字分類コードまたは姿勢字分類コードに対応する漢字を前記分子分類コード保存部で読出す文字形成部；および
前記キー入力部の入力信号に対応する基本字分類コードまたは姿勢字分類コードを前記文字形成部に伝達して対応する漢字を読出すようにし、前記読出した漢字の伝達を受けて前記表示部に出力させる制御部；
を含んで構成されることを特徴とする漢字入力装置。
【請求項２】
前記文字分類コード保存部は、
漢字に複数の基本字または複数の姿勢字が含まれる場合に、各基本字の分類コードまたは各姿勢字の分類コードを含む漢字分類コードに漢字を対応させて保存することを特徴とする請求項１に記載の漢字入力装置。
【請求項３】
前記キー入力部は、入力された基本字または姿勢字を他の基本画に変換するための変換キーを更に含んで構成され、
前記文字分類コード保存部は、前記変換キーに対応する基本画変換分類コードを漢字分類コードに更に含んで保存することができ、
前記制御部は、変換キーが押さえられた信号が伝達される場合には、押さえられた変換キーに対応する基本画変換分類コードを前記文字形成部に伝達し、基本画変換分類コードを含む漢字分類コードに基づいて漢字を読出すようにすることを特徴とする請求項２に記載の漢字入力装置。
【請求項４】
前記変換キーは、
入力された基本字または姿勢字の画端を折る折れ；
入力された基本字または姿勢字の画端を折って上げる折れ上げ；
入力された基本字のうちで２個の画を交差させる交差；および
入力された基本字または姿勢字の画端の方向を変えて長くする延び；のうちのいずれか一つ以上を含んで構成されることを特徴とする請求項３に記載の漢字入力装置。
【請求項５】
前記変換キーは、
入力された基本画を反復入力するようにする図示されていない反復キー；または
入力された基本画を漢字構成のうちでへん、つくり、またはたれに変移させる変異キー；を更に含んで構成されることを特徴とする請求項４に記載の漢字入力装置。
【請求項６】
前記基本字キーは、１個の基本字キーに２個の基本字が割り当てられる複数基本字キーを少なくとも一つ以上含んでなり、
前記キー入力部は、前記複数基本字キーと同時に押さえられなかった時には、割り当てられた２個の基本字のうちのいずれか一つを選択するように前記制御部に信号を送り、前記複数基本字キーと同時に押さえられた時には、割り当てられた２個の基本字のうちの他の一つを選択するように常時制御部に信号を送る基本字選択キーを更に含んでなることを特徴とする請求項１に記載の漢字入力装置。
【請求項７】
前記漢字入力装置は、
複数の漢字の組み合わせからなる単語を、単語に含まれた漢字の各分類コードを組み合わせてなる単語分類コードに対応させて保存する単語データ保存部を更に含んで構成され、
前記文字形成部は、
前記制御部から伝達された基本字分類コード、姿勢字分類コードまたは基本画変換分類コードを含む単語分類コードを前記単語データ保存部に検索し、該当する単語を読出して前記制御部に伝達することを特徴とする請求項２ないし請求項６のうちのいずれか１項に記載の漢字入力装置。
【請求項８】
前記文字分類コード保存部は、
漢字に同一な基本字が複数個含まれる場合に、１個の基本字分類コードだけを漢字分類コードに含ませて保存されることができることを特徴とする請求項７に記載の漢字入力装置。
【請求項９】
前記文字分類コード保存部は、
複数の基本字から形成される漢字において、漢字の基本骨格になる基本字を識別するための識別コードを漢字分類コードに更に含んで保存し、
前記文字形成部は、
前記文字分類コード保存部の漢字を検索する時に、前記制御部から伝達された基本字と同一な基本字に識別コードが付与された漢字を優先して検索し、上記識別コードを含む漢字を優先順位に配列して前記制御部伝達することを特徴とする請求項８に記載の漢字入力装置。
【請求項１０】
前記制御部は、
基本字が入力された後に継続して姿勢字が入力される場合には、入力された基本字と姿勢字の組み合わせからなる基本画に対する分類コードとして前記文字形成部で漢字を読出すようにすることを特徴とする請求項７に記載の漢字入力装置。
【請求項１１】
前記制御部は、
入力された基本字を含む漢字または単語が複数個である場合に、入力された基本字を除いた他の基本字がなかったりまたは最小の個数からなる漢字または単語を前記表示部に出力させることを特徴とする請求項７に記載の漢字入力装置。
【請求項１２】
前記制御部は、
入力された基本字を含む漢字または単語が複数個である場合に、入力された基本字を除いた他の基本字の個数が少ない順序に漢字および単語を前記表示部に出力させることを特徴とする請求項７に記載の漢字入力装置。
【請求項１３】
前記制御部は、
入力された基本字が属する基本画分類群の内の基本画を前記表示部に出力し、出力した基本画の内のいずれか一つを選択して入力することができるようにすることを特徴とする請求項７に記載の漢字入力装置。
【請求項１４】
前記制御部は、
前記キー入力部から入力された基本字に対応する漢字または単語を前記文字形成部から伝達を受けて表示部に出力し、
出力する漢字または単語に含まれた基本字のうちで、前記キー入力部から入力されていない基本字は入力された基本字より太く出力したり、入力された基本字と異なる色相で出力することを特徴とする請求項７に記載の漢字入力装置。
【請求項１５】
前記基本字は、
【数１】
2010525482.tif 000120
のうちで選択されるものであることを特徴とする請求項１に記載の漢字入力装置。
【請求項１６】
前記姿勢字は、
【数２】
2010525482.tif 000121
からなることを特徴とする請求項１に記載の漢字入力装置。
【請求項１７】
前記姿勢字は、
【数３】
2010525482.tif 000122
または
【数４】
2010525482.tif 000123
のうちのいずれか一つ以上を更に含んでなることを特徴とする請求項１６に記載の漢字入力装置。
【請求項１８】
漢字を形成する基本画の特徴により分類された基本画分類群で選定された基本字および姿勢字を用いた漢字入力方法において、
漢字に含まれた基本字または姿勢字が入力される段階（Ｓ１００）；
入力された基本字または姿勢字に対応する基本画分類群の基本画が含まれた漢字を検索する段階（Ｓ１１０）；
検索した漢字の個数を確認する段階（Ｓ１２０）；
前記Ｓ１２０段階において、検索した漢字の個数が１個である場合には、検索した漢字を選択して出力した後、次の漢字の入力を受けるために前記Ｓ１００段階に戻る段階（Ｓ１３０）；
前記Ｓ１２０段階において、検索した漢字の個数が２個以上である場合には、次のキー入力を受けるために待機する段階（Ｓ１４０）；および
前記Ｓ１４０段階において基本字または姿勢字が入力される場合には、検索した漢字のうちで新たに入力された基本字または姿勢字に対応する基本画分類群の基本画が更に含まれた漢字だけを再検索し、前記Ｓ１２０段階に戻る段階（Ｓ１５０）；
を含んでなることを特徴とする漢字入力方法。
【請求項１９】
前記Ｓ１４０段階において、
入力された基本字または姿勢字の画端を折る折れ；入力された基本字または姿勢字の画端を折って上げる折れ上げ；入力された基本字のうちの２個の画を交差させる交差；入力された基本字または姿勢字の画端の方向を変えて長くする延び；入力された基本画を反復入力するようにする図示されていない反復キー；入力された基本画を漢字構成のうちのへんやたれに変移させる変異キー；のうちのいずれか一つ以上を含んで構成される変換キー１３のうちのいずれか一つのキーが入力される場合には、
入力された基本字または姿勢字を前記変換キーに対応する変換を行って変換された基本画を得、前記変換された基本画を更に含む漢字を検索した漢字のうちで再検索した後、前記Ｓ１２０段階に戻る段階（Ｓ１６０）；を更に含んでなることを特徴とする請求項１８に記載の漢字入力方法。
【請求項２０】
前記Ｓ１２０段階を行った後に、現在段階までの入力により得た基本画が検索した漢字のうちで一致する漢字があると（Ｓ１２１）、前記一致する漢字を入力するか否かを確認し（Ｓ１２２）、前記一致する漢字の入力が要求される場合には前記Ｓ１３０段階を行う段階を更に含むことを特徴とする請求項１８に記載の漢字入力方法。
【発明の詳細な説明】
【技術分野】
【０００１】
本発明は、漢字入力方法および装置に関し、より詳しくは、漢字を形成する画のうちで基本になる基本字および姿勢字を選定し、前記選定された基本字および姿勢字が割り当てられるキーと前記基本字または姿勢字を変換させるキーを備えたキー入力部を用いて所望の漢字を入力する漢字入力方法およびその装置に関するものである。
【背景技術】
【０００２】
漢字は、ハングルや英語などのような表音文字とは異なる表意文字として、文字の個数が数万個に達し、主に使用される文字だけでも数千個に達するので、情報通信機器のキーパッドに字を直接表示することは難しい。
【０００３】
したがって、情報通信機器のキーパッドを用いて漢字を入力するために、ハングルや英語などで使用される子音／母音またはアルファベットの組み合わせで文字を形成する方法とは異なる入力方法が使用されていた。
【０００４】
従来の漢字入力方法としては、漢字の中国語発音をローマ字に表示して形成されるピン音を入力して前記ピン音と一致する複数の漢字を抽出し、抽出された複数の漢字のうちで所望の漢字を選択して入力する漢語ピン音方式と、中国語発音記号を表記する別途の注音符号を入力して注音符号と一致する複数の漢字を抽出し、抽出した複数の漢字のうちで所望の漢字を選択して入力する注音符号方式があった。
【０００５】
しかし、前記ピン音または注音を用いた漢字入力方法では、中国語発音に対する前記ピン音のローマ字または注音の記号を予め知らなければならず、また前記ピン音ローマ字または注音記号を入力して表示される漢字の数は複数個であるため、一々確認しながら選択しなければならなかった。したがって、前記従来の方法は、ピン音または注音記号を正確に知らなければ所望の漢字を入力することができず、たとえピン音または注音記号を正確に入力しても表示される複数の漢字のうちで方向キーの入力またはマウス移動動作とエンターキーの入力などの複雑な動作が行われなければならないので、漢字入力時間が非常に長く、わずらわしかった。
【０００６】
また、前記従来の方法は、漢字を形成する字画を直接入力する方式ではないので、漢字が基本的な字画の組み合わせで形成される文字形成原理に親しい一般人が使用するのには多くの練習と努力が必要であった。
【発明の概要】
【発明が解決しようとする課題】
【０００７】
したがって、本発明の目的は、少ない数のキー入力で所望の漢字を迅速に入力することができる漢字入力方法および装置を提供することにある。
【０００８】
本発明の他の目的は、入力方式が発音に依存しない代わりに、漢字固有の特徴を示す基本字で所望の漢字を入力する漢字入力方法および装置を提供することにある。
【０００９】
本発明の更に他の目的は、前記基本字が一般情報通信機器に使用される少ない数のキーパッドに割り当てられることができ、複雑なキーパッドを別途に使用しなくても容易に適用することができる漢字入力方法および装置を提供することにある。
【課題を解決するための手段】
【００１０】
前記目的を達成するために本発明は、漢字を形成する基本画を複数の基本画分類群に分類した後に各基本画分類群で選定される基本字および姿勢字を用いて漢字を入力する漢字入力装置において、前記基本字がそれぞれ割り当てられた複数の基本字キーと、前記姿勢字がそれぞれ割り当てられた複数の姿勢字キーを含んで構成されるキー入力部；前記キー入力部の入力信号による文字を出力する表示部；漢字を基本字分類コードまたは姿勢字分類コードに対応させて保存する文字分類コード保存部；基本字分類コードまたは姿勢字分類コードに対応する漢字を前記分子分類コード保存部で読出す文字形成部；および前記キー入力部の入力信号に対応する基本字分類コードまたは姿勢字分類コードを前記文字形成部に伝達して対応する漢字を読出すようにし、前記読出した漢字の伝達を受けて前記表示部に出力させる制御部；を含んで構成されることを特徴とする。
【００１１】
前記文字分類コード保存部は、漢字に複数の基本字または複数の姿勢字が含まれる場合に、各基本字の分類コードまたは各姿勢字の分類コードを含む漢字分類コードに漢字を対応させて保存することを特徴とする。
【００１２】
前記キー入力部は、入力された基本字または姿勢字を他の基本画に変換するための変換キーを更に含んで構成され、前記文字分類コード保存部は、前記変換キーに対応する基本画変換分類コードを漢字分類コードに更に含んで保存することができ、前記制御部は、変換キーが押さえられた信号が伝達される場合には、押さえられた変換キーに対応する基本画変換分類コードを前記文字形成部に伝達し、基本画変換分類コードを含む漢字分類コードに基づいて漢字を読出すようにすることを特徴とする。
【００１３】
前記変換キーは、入力された基本字または姿勢字の画端を折る折れ；入力された基本字または姿勢字の画端を折って上げる折れ上げ；入力された基本字のうちで２個の画を交差させる交差；および入力された基本字または姿勢字の画端の方向を変えて長くする延び；のうちのいずれか一つ以上を含んで構成されることを特徴とする。
【００１４】
前記変換キーは、入力された基本画を反復入力するようにする図示されていない反復キー；または入力された基本画を漢字構成のうちでへん、つくり、またはたれに変移させる変異キー；を更に含んで構成されることを特徴とする。
【００１５】
前記基本字キーは、１個の基本字キーに２個の基本字が割り当てられる複数基本字キーを少なくとも一つ以上含んでなり、前記キー入力部は、前記複数基本字キーと同時に押さえられなかった時には、割り当てられた２個の基本字のうちのいずれか一つを選択するように前記制御部に信号を送り、前記複数基本字キーと同時に押さえられた時には、割り当てられた２個の基本字のうちの他の一つを選択するように常時制御部に信号を送る基本字選択キーを更に含んでなることを特徴とする。
【００１６】
前記漢字入力装置は、複数の漢字の組み合わせからなる単語を、単語に含まれた漢字の各分類コードを組み合わせてなる単語分類コードに対応させて保存する単語データ保存部を更に含んで構成され、前記文字形成部は、前記制御部から伝達された基本字分類コード、姿勢字分類コードまたは基本画変換分類コードを含む単語分類コードを前記単語データ保存部に検索し、該当する単語を読出して前記制御部に伝達することを特徴とする。
【００１７】
前記文字分類コード保存部は、漢字に同一な基本字が複数個含まれる場合に、１個の基本字分類コードだけを漢字分類コードに含ませて保存されることができることを特徴とする。
【００１８】
前記文字分類コード保存部は、複数の基本字から形成される漢字において、漢字の基本骨格になる基本字を識別するための識別コードを漢字分類コードに更に含んで保存し、前記文字形成部は、前記文字分類コード保存部の漢字を検索する時に、前記制御部から伝達された基本字と同一な基本字に識別コードが付与された漢字を優先して検索し、上記識別コードを含む漢字を優先順位に配列して前記制御部伝達することを特徴とする。
【００１９】
前記制御部は、基本字が入力された後に継続して姿勢字が入力される場合には、入力された基本字と姿勢字の組み合わせからなる基本画に対する分類コードとして前記文字形成部で漢字を読出すようにすることを特徴とする。
【００２０】
前記制御部は、入力された基本字を含む漢字または単語が複数個である場合に、入力された基本字を除いた他の基本字がなかったりまたは最小の個数からなる漢字または単語を前記表示部に出力させることを特徴とする。
【００２１】
前記制御部は、入力された基本字を含む漢字または単語が複数個である場合に、入力された基本字を除いた他の基本字の個数が少ない順序に漢字および単語を前記表示部に出力させることを特徴とする。
【００２２】
前記制御部は、入力された基本字が属する基本画分類群の内の基本画を前記表示部に出力し、出力した基本画の内のいずれか一つを選択して入力することができるようにすることを特徴とする。
【００２３】
前記制御部は、前記キー入力部から入力された基本字に対応する漢字または単語を前記文字形成部から伝達を受けて表示部に出力し、出力する漢字または単語に含まれた基本字のうちで、前記キー入力部から入力されていない基本字は入力された基本字より太く出力したり、入力された基本字と異なる色相で出力することを特徴とする。
【００２４】
前記基本字は、
【００２５】
【数１】
2010525482.tif 000003
【００２６】
のうちで選択されるものであることを特徴とする。
【００２７】
前記姿勢字は、
【００２８】
【数２】
2010525482.tif 000004
【００２９】
からなることを特徴とする。
【００３０】
前記姿勢字は、
【００３１】
【数３】
2010525482.tif 000005
【００３２】
または
【００３３】
【数４】
2010525482.tif 000006
【００３４】
のうちのいずれか一つ以上を更に含んでなることを特徴とする。
【００３５】
漢字を形成する基本画の特徴により分類された基本画分類群で選定された基本字および姿勢字を用いた漢字入力方法において、漢字に含まれた基本字または姿勢字が入力される段階（Ｓ１００）；入力された基本字または姿勢字に対応する基本画分類群の基本画が含まれた漢字を検索する段階（Ｓ１１０）；検索した漢字の個数を確認する段階（Ｓ１２０）；前記Ｓ１２０段階において、検索した漢字の個数が１個である場合には、検索した漢字を選択して出力した後、次の漢字の入力を受けるために前記Ｓ１００段階に戻る段階（Ｓ１３０）；前記Ｓ１２０段階において、検索した漢字の個数が２個以上である場合には、次のキー入力を受けるために待機する段階（Ｓ１４０）；および前記Ｓ１４０段階において基本字または姿勢字が入力される場合には、検索した漢字のうちで新たに入力された基本字または姿勢字に対応する基本画分類群の基本画が更に含まれた漢字だけを再検索し、前記Ｓ１２０段階に戻る段階（Ｓ１５０）；を含んでなることを特徴とする。
【００３６】
前記Ｓ１４０段階において、入力された基本字または姿勢字の画端を折る折れ；入力された基本字または姿勢字の画端を折って上げる折れ上げ；入力された基本字のうちの２個の画を交差させる交差；入力された基本字または姿勢字の画端の方向を変えて長くする延び；入力された基本画を反復入力するようにする図示されていない反復キー；入力された基本画を漢字構成のうちのへんやたれに変移させる変異キー；のうちのいずれか一つ以上を含んで構成される変換キー１３のうちのいずれか一つのキーが入力される場合には、入力された基本字または姿勢字を前記変換キーに対応する変換を行って変換された基本画を得、前記変換された基本画を更に含む漢字を検索した漢字のうちで再検索した後、前記Ｓ１２０段階に戻る段階（Ｓ１６０）；を更に含んでなることを特徴とする。
【００３７】
前記Ｓ１２０段階を行った後に、現在段階までの入力により得た基本画が検索した漢字のうちで一致する漢字があると（Ｓ１２１）、前記一致する漢字を入力するか否かを確認し（Ｓ１２２）、前記一致する漢字の入力が要求される場合には前記Ｓ１３０段階を行う段階を更に含むことを特徴とする。
【発明の効果】
【００３８】
したがって、前述したように本発明は、漢字の構成原理に基づいた基本画だけで漢字を入力するので、全ての使用者が漢字を容易に入力することができるようにする。
【００３９】
また、本発明は、漢字を入力することにおいて複雑なキー操作なく少ない数の基本字キーまたは姿勢字キーで迅速且つ正確に漢字を入力することができる。
【００４０】
また、本発明は、前記基本字が一般の情報通信機器に使用される少ない数のキーパッドに割り当てられることができ、複雑なキーパッドを別途に使用しなくても容易に適用することができる。
【図面の簡単な説明】
【００４１】
【図１】本発明の実施例による基本画分類群で選定された基本字を示す図面である。
【図２】本発明の実施例による基本画分類群で選定された姿勢字を示す図面である。
【図３】本発明の実施例による漢字入力装置のブロック構成図である。
【図４】本発明の実施例による漢字入力装置でキー入力部のキーパッドを示す図面である。
【図５】本発明の実施例による漢字入力方法を示す順序図である。
【図６】本発明の実施例による漢字単語入力方法を示す順序図である。
【発明を実施するための形態】
【００４２】
以下、本発明の好適な実施例を添付した図面を参照して当該分野に通常の知識を有する者が容易に実施することができるように説明する。
【００４３】
図１は、本発明の実施例による基本画分類群で選定された基本字を示す図面である。図１による本発明による基本字は、
【００４４】
【数５】
2010525482.tif 000007
【００４５】
からなり、それぞれの基本字は前記基本字と類似する複数の基本画を代表する。
【００４６】
一般に漢字は、一つ以上の部首漢字または部首漢字の変形文字または複数画が添加された漢字などからなる基本画が、へん、つくり、かんむり、あし、にょう、たれまたはかまえのうちで一つ以上の位置に満たされて形成される。また、前記へん、つくり、かんむり、あし、にょう、たれ、かまえに表記される基本画は、画の基本特徴に応じて所定の個数に限定される。
【００４７】
このような漢字の基本画が有する特性を用いて本発明では、前記図１でのように前記基本画を画の特徴により基本画分類群に分類し、前記基本画分類群から各分類群を代表する基本字を選定する。
【００４８】
前記基本字に対する例を挙げれば、「特」字は基本画
【００４９】
【数６】
2010525482.tif 000008
【００５０】
から構成され、前記基本画に対応する基本字は
【００５１】
【数７】
2010525482.tif 000009
【００５２】
である。
【００５３】
前記基本字は、それぞれ指定された分類コードが付与されて区別して保存されることが好ましく、前記基本画分類群は対応する基本字の分類コードを含むコードが付与されて指定されることが好ましい。
【００５４】
前記基本字は、前記で選定された基本字だけに制限されず、以下の通り多様に選定されることができる。
【００５５】
前記図１の基本画分類群において、漢字によく使用されるようになる基本画
【００５６】
【数８】
2010525482.tif 000010
【００５７】
のうちでいずれか一つ以上が基本字に含まれることができ、前記追加された基本字は、漢字を入力するためのキー入力の回数を減少し、基本字を入力することによって検索される漢字の個数も狭めることができ、使用者が迅速に漢字を選択入力することができるようにする。
【００５８】
前記図１の基本字において、基本字
【００５９】
【数９】
2010525482.tif 000011
【００６０】
の代わりに基本画
【００６１】
【数１０】
2010525482.tif 000012
【００６２】
が基本字に、基本字
【００６３】
【数１１】
2010525482.tif 000013
【００６４】
の代わりに基本画
【００６５】
【数１２】
2010525482.tif 000014
【００６６】
が基本字に、基本字
【００６７】
【数１３】
2010525482.tif 000015
【００６８】
の代わりに基本画
【００６９】
【数１４】
2010525482.tif 000016
【００７０】
が基本字に、基本字
【００７１】
【数１５】
2010525482.tif 000017
【００７２】
の代わりに基本画
【００７３】
【数１６】
2010525482.tif 000018
【００７４】
が基本字に選定されることができる。
【００７５】
前記図１の基本画分類群において、
【００７６】
【数１７】
2010525482.tif 000019
【００７７】
または
【００７８】
【数１８】
2010525482.tif 000020
【００７９】
は基本字
【００８０】
【数１９】
2010525482.tif 000021
【００８１】
と同一なコードが、
【００８２】
【数２０】
2010525482.tif 000022
【００８３】
は基本字
【００８４】
【数２１】
2010525482.tif 000023
【００８５】
と同一なコードが、
【００８６】
【数２２】
2010525482.tif 000024
【００８７】
は基本字
【００８８】
【数２３】
2010525482.tif 000025
【００８９】
と同一なコードが、
【００９０】
【数２４】
2010525482.tif 000026
【００９１】
は基本字
【００９２】
【数２５】
2010525482.tif 000027
【００９３】
と同一なコードが付与されることができる。また、
【００９４】
【数２６】
2010525482.tif 000028
【００９５】
は同一なコードで付与されることができる。
【００９６】
図２は、本発明の実施例による基本画分類群で選定された姿勢字を示す図面である。図２によれば、本発明で使用される姿勢字は
【００９７】
【数２７】
2010525482.tif 000029
【００９８】
の３字からなり、それぞれの姿勢字は類似する複数の基本画分類群を代表する。
【００９９】
一般に漢字は、前記図１で選定された基本字だけでは使用されず、前記姿勢字または姿勢字と類似する基本画分類群が追加されてなるので、前記図１で選定された基本字だけで特定の漢字を入力しようとすれば、複数の漢字が検索される。したがって、本発明では、基本字として検索される漢字の範囲を選択的に限定させるために、前記姿勢字を追加入力することができ、それに対応する漢字を前記基本字として抽出された漢字のうちで再抽出するようにする。したがって、各漢字は、漢字に含まれている基本字の分類コードと基本字を除いた前記姿勢字の分類コードとを含むコードでデータベース化することが好ましい。
【０１００】
前記姿勢字は、
【０１０１】
【数２８】
2010525482.tif 000030
【０１０２】
または
【０１０３】
【数２９】
2010525482.tif 000031
【０１０４】
を更に含んでなることができ、姿勢字
【０１０５】
【数３０】
2010525482.tif 000032
【０１０６】
の入力で検索される漢字を
【０１０７】
【数３１】
2010525482.tif 000033
【０１０８】
に細分化して検索するので、より迅速に所望の漢字を入力することができる。
【０１０９】
図３は、本発明の実施例による漢字入力装置のブロック構成図である。
図３を参照すれば、本発明による漢字入力装置は、キー入力部１０、表示部２０、文字分類コード保存部４０、単語データ保存部６０、文字形成部５０および制御部３０を含んで構成される。
【０１１０】
前記キー入力部１０は、基本字が割り当てられる基本字キー１１と、姿勢字が割り当てられる姿勢字キー１２と、画を変更するものであって前記基本字キー１１または姿勢字キー１２により入力された基本字または姿勢字を他の基本画に変換する変換キー１３を含んで構成される。
【０１１１】
前記表示部２０は、前記キー入力部１０の入力信号により形成される漢字を出力する。
【０１１２】
前記文字分類コード保存部４０は、各漢字を、基本字別に割り当てられる基本字分類コード、姿勢字別に割り当てられる姿勢字分類コードおよび前記変換キー１３に対応する基本画変換分類コードのうちのいずれか一つ以上からなる漢字分類コードに対応させて保存する。
【０１１３】
前記単語データ保存部６０は、複数の漢字の組み合わせからなる単語を、各漢字に対応する漢字分類コード（基本字分類コード、姿勢字の分類コードまたは基本画変換分類コードのうちのいずれか一つ以上からなる分類コード）を組み合わせてなる単語分類コードに対応させて保存する。
【０１１４】
前記文字形成部５０は、前記キー入力部１０の入力信号により前記制御部３０から伝達される基本字分類コード、姿勢字分類コードまたは基本画変換分類コードに基づいて対応する漢字を前記分子分類コード保存部４０で読出し、読出した漢字を前記制御部３０に伝達する。また、前記文字形成部５０は、伝達される基本字分類コード、姿勢字分類コードまたは基本画変換分類コードに基づいて対応する単語を前記単語データ保存部６０で読出し、読出した単語を前記制御部３０に伝達する。
【０１１５】
前記制御部３０は、前記各構成１０、２０、４０、５０、６０を制御し、前記キー入力部１０の入力信号に対応する基本字分類コード、姿勢字の分類コードまたは基本画変換分類コードを前記文字形成部５０に伝達して対応する漢字を探し出すようにし、前記探し出した漢字を受信して前記表示部２０に出力させる。また、前記制御部３０は、前記文字形成部５０に伝達した基本字分類コード、姿勢字分類コードまたは基本画変換分類コードに対応する単語を前記文字形成部５０に要請することができるように構成されてもよく、この時は対応する単語も前記文字形成部５０から受信する。
【０１１６】
また、前記制御部３０は、基本字が入力された後に継続して姿勢字が入力される場合には、入力された基本字に姿勢字が付加されて形成される基本画として漢字を読出すように前記文字形成部５０を制御するように構成されることができる。例えば、基本字
【０１１７】
【数３２】
2010525482.tif 000034
【０１１８】
と姿勢字
【０１１９】
【数３３】
2010525482.tif 000035
【０１２０】
（または
【０１２１】
【数３４】
2010525482.tif 000036
【０１２２】
）が継続して入力されると、基本字
【０１２３】
【数３５】
2010525482.tif 000037
【０１２４】
に姿勢字
【０１２５】
【数３６】
2010525482.tif 000038
【０１２６】
を付加した基本画
【０１２７】
【数３７】
2010525482.tif 000039
【０１２８】
字を得るようになる。
【０１２９】
また、前記制御部３０は、姿勢字が入力された後に変換キー１３が入力される場合には、姿勢字を変換して得る基本画として前記文字形成部５０で漢字を読出すように前記文字形成部５０を制御する。
【０１３０】
また、前記制御部３０は、前記文字形成部５０から伝達された読出された漢字（または単語）が複数個である場合に、伝達された漢字（または単語）のうちで前記キー入力部１０を通じて入力された基本字だけでなる漢字（または単語）を前記表示部１０に出力させ、入力された基本字だけでなる漢字（または単語）がなければ、入力された基本字を除いた他の基本字の個数が最小である漢字（または単語）だけを前記表示部１０に出力させ、使用者が現在出力された漢字（または単語）が入力しようとする漢字（または単語）であるかを判断するようにする。つまり、使用者は所望の漢字（または単語）に含まれた全ての基本字を入力しなくても現在まで入力された基本字を含む最も近接した漢字（または単語）を確認することができる。このために、前記表示部２０は、所望の漢字（または単語）を入力するための編集窓と、読出した漢字（または単語）を出力するための検索窓からなることが好ましい。
【０１３１】
また、前記制御部３０は、前記文字形成部５０から伝達された読出された漢字（または単語）が複数個である場合に、前記キー入力部１０を通じて入力された基本字とは異なる基本字の個数が少ない順序に漢字（または単語）を前記表示部１０に出力させ、使用者が出力された漢字（または単語）のうちで入力しようとする漢字（または単語）を入力するようにできる。
【０１３２】
この時、前記制御部３０は、入力された基本字とは異なる基本字を、入力された基本字とは異なる色相または異なる太さ（例えば、入力された基本字より太い画）で出力されるようにできる。
【０１３３】
具体的な実施例を挙げれば、本発明の実施例による漢字入力装置は、基本字「口」と
【０１３４】
【数３８】
2010525482.tif 000040
【０１３５】
が入力される場合には、前記「口」と
【０１３６】
【数３９】
2010525482.tif 000041
【０１３７】
に対応する漢字「吐、詩、時、影、…」を表示部２０に出力する時に、基本字「口」と基本字
【０１３８】
【数４０】
2010525482.tif 000042
【０１３９】
と基本画「日」（基本字「口」に対応する基本画）と基本画「土」（基本字
【０１４０】
【数４１】
2010525482.tif 000043
【０１４１】
に対応する基本画）を除いた基本画の部分を異なる色相または異なる太さで出力する。つまり、「詩」字は
【０１４２】
【数４２】
2010525482.tif 000044
【０１４３】
部分を、「時」字は
【０１４４】
【数４３】
2010525482.tif 000045
【０１４５】
部分を、「影」字は
【０１４６】
【数４４】
2010525482.tif 000046
【０１４７】
部分を前記
【０１４８】
【数４５】
2010525482.tif 000047
【０１４９】
とは異なる色相または異なる太さで出力する。したがって、使用者は自分が入力した基本字とは異なる形態で出力される基本画の部分だけを容易に識別し、次に入力する基本字を容易に選択して入力することができる。
【０１５０】
また、前記文字分類コード保存部４０は、前記保存される漢字が複数の基本字（または複数の姿勢字）を含む場合に、該当する個数だけ基本字分類コード（または姿勢字分類コード）を含むように保存されることができる。
【０１５１】
また、前記文字分類コード保存部４０は、一つの漢字に同一な基本字が複数個含まれる場合に、一つの基本字分類コードだけを漢字分類コードに含まれるように保存されることができる。具体的な実施例を挙げれば、「高」字は基本字「口」を二つ含んで形成され、前記「高」字に対応する漢字分類コードは、基本字「口」に対応する分類コードを一つだけ含む。そして、前記文字形成部５０は、
【０１５２】
【数４６】
2010525482.tif 000048
【０１５３】
の入力による分類コードとして「高」を検索して読出し、
【０１５４】
【数４７】
2010525482.tif 000049
【０１５５】
を入力（口を２回入力）する時よりキー入力回数を減少させるようにする。
【０１５６】
前記文字分類コード保存部４０は、複数の基本字から形成される漢字において、含まれた基本字のうちで選定される基本字を識別コードを付加した基本字分類コードに保存することが好ましい。この時、前記選定される基本字は、各漢字別に選定され、各漢字において基本骨格になる基本字として選定されるものとして、一つの基本字が他の基本字を取り囲む形態（または外郭枠を形成する形態）に形成される漢字において、他の基本字を取り囲む基本字に選定されたり、または２つ以上の基本字が組み合わせて形成される漢字において、全体画の基本の枠になる基本字に選定される。例えば、「囚」字は、基本字
【０１５７】
【数４８】
2010525482.tif 000050
【０１５８】
の分類コードと、
【０１５９】
【数４９】
2010525482.tif 000051
【０１６０】
の分類コードと、基本字
【０１６１】
【数５０】
2010525482.tif 000052
【０１６２】
に付加される識別コードからなる漢字分類コードに対応する。また、「木」字は、基本字
【０１６３】
【数５１】
2010525482.tif 000053
【０１６４】
の分類コードと、
【０１６５】
【数５２】
2010525482.tif 000054
【０１６６】
の分類コードと、基本字
【０１６７】
【数５３】
2010525482.tif 000055
【０１６８】
に付加される識別コードからなる漢字分類コードに対応する。
【０１６９】
そして、前記文字形成部５０は、制御部３０から伝達された基本字として漢字を検索する時に、前記伝達された基本字を含む漢字の内に前記伝達された基本字に識別コードが付与された漢字を優先して検索する。また、前記文字形成部５０は、前記伝達された基本字に識別コードが付与された漢字に優先順位を与え、配列された順序に検索した漢字を前記制御部３０に伝達する。
【０１７０】
具体的な実施例を挙げれば、「喝」字は、
【０１７１】
【数５４】
2010525482.tif 000056
【０１７２】
からなる基本画から形成される漢字として、前記基本画は、基本字
【０１７３】
【数５５】
2010525482.tif 000057
【０１７４】
にそれぞれ対応する。そして、前記「喝」の
【０１７５】
【数５６】
2010525482.tif 000058
【０１７６】
部分は、基本字
【０１７７】
【数５７】
2010525482.tif 000059
【０１７８】
が基本字
【０１７９】
【数５８】
2010525482.tif 000060
【０１８０】
と
【０１８１】
【数５９】
2010525482.tif 000061
【０１８２】
を取り囲む形態に構成される。この時、使用者は前記「喝」字を入力する時に基本字
【０１８３】
【数６０】
2010525482.tif 000062
【０１８４】
を全て入力することもできるが、
【０１８５】
【数６１】
2010525482.tif 000063
【０１８６】
部分については
【０１８７】
【数６２】
2010525482.tif 000064
【０１８８】
だけを選択し、基本字「口」と
【０１８９】
【数６３】
2010525482.tif 000065
【０１９０】
だけを入力する（基本字「口」は重複するので、１回だけ入力する）。そうすると、前記文字形成部５０は、基本字「口」と
【０１９１】
【数６４】
2010525482.tif 000066
【０１９２】
により漢字を検索することにおいて
【０１９３】
【数６５】
2010525482.tif 000067
【０１９４】
が他の基本字（「喝」では
【０１９５】
【数６６】
2010525482.tif 000068
【０１９６】
と
【０１９７】
【数６７】
2010525482.tif 000069
【０１９８】
）を取り囲む漢字に優先順位を置おいて検索結果漢字を整列して制御部３０に伝達することによって、前記制御部３０が整列順序により検索漢字を表示部２０に出力するようにする。
【０１９９】
また、前記文字分類コード保存部４０は、類似する形態に構成される漢字において基本骨格になる漢字を基本字に選定されるように保存する。具体的な例を挙げれば、「士」字は基本字
【０２００】
【数６８】
2010525482.tif 000070
【０２０１】
と姿勢字
【０２０２】
【数６９】
2010525482.tif 000071
【０２０３】
からなる漢字で、「土」字は基本字
【０２０４】
【数７０】
2010525482.tif 000072
【０２０５】
と姿勢字
【０２０６】
【数７１】
2010525482.tif 000073
【０２０７】
からなる漢字に保存される。
【０２０８】
図４は、本発明の実施例による漢字入力装置でキー入力部のキーパッドを示す図面である。
【０２０９】
前記図４に示されているように、前記変換キー１３は、入力された基本字または姿勢字の画端を折る折れ１３−１と；入力された基本字または姿勢字の画端を折れ上げる折れ上げ１３−２と；入力された基本字に含まれた２つの画を交差させる交差１３−３と；入力された基本字または姿勢字の画端の方向を変えて長くする延び１３−４と；を含んで構成される。
【０２１０】
以下、前記変換キー１３に対して具体的な実施例を挙げて説明する。
前記折れ１３−１の使用実施例を説明すれば、「人」を入力した後に折れ１３−１を入力すれば、「入」字に変換され、
【０２１１】
【数７２】
2010525482.tif 000074
【０２１２】
を入力した後に折れ１３−１を入力すれば、
【０２１３】
【数７３】
2010525482.tif 000075
【０２１４】
字に変換され、
【０２１５】
【数７４】
2010525482.tif 000076
【０２１６】
を入力した後に折れ１３−１を入力すれば、
【０２１７】
【数７５】
2010525482.tif 000077
【０２１８】
字に変換される。
【０２１９】
前記折れ上げ１３−２の使用実施例を説明すれば、
【０２２０】
【数７６】
2010525482.tif 000078
【０２２１】
を入力した後に折れ上げ１３−２を入力すれば、
【０２２２】
【数７７】
2010525482.tif 000079
【０２２３】
字に変換され、
【０２２４】
【数７８】
2010525482.tif 000080
【０２２５】
を入力した後に折れ上げ１３−２を入力すれば、「丁」字に変換される。
【０２２６】
前記交差１３−３の使用実施例を説明すれば、「人」を入力した後に交差１３−３を入力すれば、
【０２２７】
【数７９】
2010525482.tif 000081
【０２２８】
字に変換される。
【０２２９】
前記延び１３−４の使用実施例を説明すれば、「人」を入力した後に延び１３−４を入力すれば、
【０２３０】
【数８０】
2010525482.tif 000082
【０２３１】
字に変換される。
【０２３２】
前記図４を再び参照すれば、キー入力部１０の変換キー１３は、入力された基本画を反復入力するようにする反復キー１３−５と；入力された基本画を漢字構成のうちのへんやたれに変移させる変異キー１３−６；を更に含んでなる。
【０２３３】
前記反復キー１３−５の使用実施例を説明すれば、「口」を入力した後に反復キー１３−５を入力すれば、
【０２３４】
【数８１】
2010525482.tif 000083
【０２３５】
字に変換され、
【０２３６】
【数８２】
2010525482.tif 000084
【０２３７】
字に変換した後に反復キー１３−５を入力すれば、「品」に変換される。
【０２３８】
【数８３】
2010525482.tif 000085
【０２３９】
字を入力した後に姿勢字「一」を入力して
【０２４０】
【数８４】
2010525482.tif 000086
【０２４１】
に変換した後に反復キー１３−５を入力すれば、「門」字に変換される。
【０２４２】
前記変異キー１３−６の使用実施例を説明すれば、
【０２４３】
【数８５】
2010525482.tif 000087
【０２４４】
または
【０２４５】
【数８６】
2010525482.tif 000088
【０２４６】
を入力した後に変異キー１３−６を入力すれば、
【０２４７】
【数８７】
2010525482.tif 000089
【０２４８】
に変換され、
【０２４９】
【数８８】
2010525482.tif 000090
【０２５０】
を入力した後に変異キー１３−６を入力すれば、
【０２５１】
【数８９】
2010525482.tif 000091
【０２５２】
字に変換され、
【０２５３】
【数９０】
2010525482.tif 000092
【０２５４】
を入力した後に変異キー１３−６を入力すれば、
【０２５５】
【数９１】
2010525482.tif 000093
【０２５６】
字に変換され、
【０２５７】
【数９２】
2010525482.tif 000094
【０２５８】
を入力した後に変異キー１３−６を入力すれば、
【０２５９】
【数９３】
2010525482.tif 000095
【０２６０】
字に変換される。
【０２６１】
また、前記図４によるキー入力部１０の基本字キー１１のうちには、１個の基本字キーに２個の基本字が割り当てられる複数基本字キー１１ａが含まれることが分かる。つまり、本発明による基本字キー１１は、１個の基本字キーに２個の基本字が割り当てられる複数基本字キー１１ａを少なくとも一つ以上を含んでなることができる。このように複数の基本字を１個の基本字キーに割り当てることによって、制限された個数のキーに多くは二倍の基本字を割り当てることができる。
【０２６２】
この時、前記キー入力部１０は、前記基本字キー１１ａと同時に押さえられなかった時には、割り当てられた２個の基本字のうちのいずれか一つを選択するようにする信号を常時制御部３０に送り、前記基本字キー１１ａと同時に押さえられた時には、割り当てられた２個の基本字のうちの他の一つを選択するようにする信号を常時制御部３０に送る基本字選択キー１４を更に含んでなる。
【０２６３】
そして、前記制御部３０は、前記基本字選択キー１４が押さえられなかった状態で複数基本字キー１１ａが押さえられると、押さえられた複数の基本字キー１１ａに割り当てられた２個の基本字のうちの指定された一つの基本字が入力されたと判断し、該当する基本字の分類コードを文字形成部５０に伝達し、前記基本字選択キー１４が押さえられた状態で複数基本字キー１１ａが押さえられると、押さえられた複数基本字キー１１ａに割り当てられた２個の基本字のうちの他の一つの基本字が入力されたと判断し、該当する基本字の分類コードを文字形成部５０に伝達する。
【０２６４】
具体的な例を挙げれば、「人」を入力するためには複数基本字キー１１ａ
【０２６５】
【数９４】
2010525482.tif 000096
【０２６６】
だけ入力し、
【０２６７】
【数９５】
2010525482.tif 000097
【０２６８】
を入力するためには基本字選択キー１４と複数基本字キー１１ａ
【０２６９】
【数９６】
2010525482.tif 000098
【０２７０】
を同時に入力する。
【０２７１】
また、前記制御部３０は、基本字キー１１の入力信号を受信して該当する基本字分類コードを文字形成部５０に伝達する時に、該当する基本字に対応する具体的な基本画を要請するように構成されることもできる。そして、前記文字形成部５０は、伝達された基本字分類コードに基づいて対応する基本画を前記文字分類コード保存部４０で読出し、読出した基本画を前記制御部３０に伝達し、前記制御部３０は伝達される基本画を前記表示部２０に出力する。好ましくは、前記読出される具体的な基本画は、入力された基本字を含む基本画分類群の基本画からなることができる。
【０２７２】
そして、前記制御部３０は、各基本画を数字キー（または方向キー）に対応させ、該当する数字キー（または方向キー）が入力される場合には、入力された数字キー（または方向キー）に対応する基本画を選択する。
【０２７３】
一例を挙げれば、前記制御部３０は、
【０２７４】
【数９７】
2010525482.tif 000099
【０２７５】
が入力される場合には
【０２７６】
【数９８】
2010525482.tif 000100
【０２７７】
に該当する基本字分類コードを前記文字形成部５０に伝達して要請し、前記文字形成部５０は、伝達された基本字分類コードに対応する基本画
【０２７８】
【数９９】
2010525482.tif 000101
【０２７９】
を文字分類コード保存部４０で読出して前記制御部３０に伝達する。そして、前記制御部３０は、伝達された基本画
【０２８０】
【数１００】
2010525482.tif 000102
【０２８１】
を数字「１、２、３、４」にそれぞれ対応させて前記表示部２０に出力し、使用者が入力する数字を前記キー入力部１０から受信する。もし入力数字が「２」である場合には、「上」字を前記表示部２０に最終出力する。
【０２８２】
図５は、前記図３と図４で示された漢字入力装置を用いた漢字入力方法を示す順序図である。
図５による本発明の漢字入力方法は、入力しようとする漢字の基本画に対応する基本字または姿勢字を基本字キー１１または姿勢字キー１２で入力される段階（Ｓ１００）；入力された基本字または姿勢字が含まれた基本画分類群の基本画が含まれた漢字を検索する段階（Ｓ１１０）；検索結果として得る漢字の個数を確認して一つであるかを判別する段階（Ｓ１２０）；前記Ｓ１２０段階において、検索した漢字の個数が一つである場合には、検索した漢字を選択して出力した後、次の漢字の入力を受けるために前記Ｓ１００段階に戻る段階（Ｓ１３０）；前記Ｓ１２０段階において、検索した漢字の個数が２つ以上である場合には、次のキー入力を受けるために待機する段階（Ｓ１４０）；前記Ｓ１４０段階で基本字が入力される場合には、検索した漢字のうちに新たに入力を受けた基本字に対応する基本画分類群の基本画が更に含まれた漢字だけを再検索し、前記Ｓ１４０段階で姿勢字が入力される場合には、入力された基本字に姿勢字を付加した基本画を含む漢字を再検索し、前記Ｓ１２０段階に戻る段階（Ｓ１５０）；を含んでなる。
【０２８３】
また、前記Ｓ１４０段階で、変換キー１３のうちのいずれか一つのキーが入力される場合には、入力された基本字または姿勢字を前記変換キー１３に対応する変換を行い、変換された基本画を得、前記変換された基本画を含む漢字を検索した漢字のうちで再検索した後、前記Ｓ１２０段階に戻る段階（Ｓ１６０）；を更に含んでなる。
【０２８４】
この時、前記変換キー１３は、入力された基本字または姿勢字の画端を折る折れ１３−１；入力された基本字または姿勢字の画端を折って上げる折れ上げ１３−２；入力された基本字の内の２個の画を交差させる交差１３−３；入力された基本字または姿勢字の画端の方向を変えて長くする延び１３−４；入力された基本画を反復入力するようにする図示していない反復キー１３−５；入力された基本画を漢字構成のうちのへんやたれに変移させる変異キー１３−６；のうちのいずれか一つ以上を含んで構成される。
【０２８５】
また、前記Ｓ１２０段階を行った後に、現在段階までの入力により得た基本画が検索した漢字のうちにあるかを確認し（Ｓ１２１）、前記一致する漢字があれば、漢字入力を完了するかを表示部２０を通じて使用者に選択するようにし、もし使用者がキー入力部を通して漢字入力の完了を指示すれば、前記一致する漢字を入力完了する前記Ｓ１３０段階を行う段階（Ｓ１２２）を更に含んでなる。
【０２８６】
前記Ｓ１１０段階で検索される漢字または前記Ｓ１３０、Ｓ１５０段階で抽出される漢字は、使用者が前記漢字入力方法で表出される表示部２０の検索窓で所望の漢字を選択し、前記作業窓に所望の漢字を一字ずつ入力することができるようにすることが望ましい。また、前記検索窓に表出される複数の漢字は、入力される基本字または姿勢字を除いた残りの画が少ない順に整列され、使用者の所望の漢字を容易に選択するようにすることが好ましい。また、基本字または姿勢字の入力順序が異なっても検索窓に表出される漢字は同一になるようにすることもできる。
【０２８７】
前記Ｓ１００段階での姿勢字入力は、「一」字のような姿勢字だけからなる漢字の部首字を入力する時や、「二」字のように姿勢字の組み合わせからなる漢字を入力する時や、「水」字のように
【０２８８】
【数１０１】
2010525482.tif 000103
【０２８９】
が入る場合に使用される。
【０２９０】
図５の漢字入力方法を一例を挙げて説明すれば、「特」字を入力する時には、基本字
【０２９１】
【数１０２】
2010525482.tif 000104
【０２９２】
が順次に入力されることによって検索窓に出力される漢字のうちで所望の前記「特」字を選択したり、前記基本字
【０２９３】
【数１０３】
2010525482.tif 000105
【０２９４】
に対応する漢字が過度に多く出力されれば、姿勢字
【０２９５】
【数１０４】
2010525482.tif 000106
【０２９６】
または
【０２９７】
【数１０５】
2010525482.tif 000107
【０２９８】
を一つずつ付加して入力することによって、個数が減少した再検索された漢字のうちで所望の前記「特」字を選択する。また、
【０２９９】
【数１０６】
2010525482.tif 000108
【０３００】
に対応する基本字
【０３０１】
【数１０７】
2010525482.tif 000109
【０３０２】
入力と姿勢字
【０３０３】
【数１０８】
2010525482.tif 000110
【０３０４】
２回入力、
【０３０５】
【数１０９】
2010525482.tif 000111
【０３０６】
に対応する基本字
【０３０７】
【数１１０】
2010525482.tif 000112
【０３０８】
入力と姿勢字
【０３０９】
【数１１１】
2010525482.tif 000113
【０３１０】
１回入力、基本字
【０３１１】
【数１１２】
2010525482.tif 000114
【０３１２】
入力、変換キー入力で
【０３１３】
【数１１３】
2010525482.tif 000115
【０３１４】
字を形成した後に姿勢字
【０３１５】
【数１１４】
2010525482.tif 000116
【０３１６】
１回入力で前記「特」字を入力することもできる。
【０３１７】
また、他の例として、「場」字は、基本字
【０３１８】
【数１１５】
2010525482.tif 000117
【０３１９】
と姿勢字
【０３２０】
【数１１６】
2010525482.tif 000118
【０３２１】
からなるので、前記基本字または姿勢字を一つずつ入力しながら検索窓に表出される漢字のうちで所望の前記「場」字を選択すれば良い。
【０３２２】
また、他の例として、「一」字は姿勢字
【０３２３】
【数１１７】
2010525482.tif 000119
【０３２４】
を１回だけ入力すれば、前記Ｓ１２１段階で一致する漢字として出力されるので、前記Ｓ１２２段階およびＳ１３０で入力が完了する。
【０３２５】
図６は本発明の実施例による漢字単語入力方法を示す順序図である。
前記図６による漢字単語入力方法は、前記図５の漢字入力方法と同一であり、但し前記図３で説明されたように、複数の漢字からなる単語全体に含まれる基本字または姿勢字を検索して行われる。
【０３２６】
したがって、単語を入力する時にはＳ２１０段階およびＳ２５０段階で入力された基本字または姿勢字の分類コードを検索語として単語データ保存部６０で単語を読出し、Ｓ２６０段階で変換キーにより基本画変換分類コードを検索語として単語データ保存部６０で単語を読出し、Ｓ２２０段階で検索した単語の個数を確認し、Ｓ２２１段階で一致する単語を確認する。
【符号の説明】
【０３２７】
１０  キー入力部
２０  表示部
３０  制御部
４０  文字分類コード保存部
５０  文字形成部
【図１】
2010525482.tif 000124
【図２】
2010525482.tif 000125
【図３】
2010525482.tif 000126
【図４】
2010525482.tif 000127
【図５】
2010525482.tif 000128
【図６】
2010525482.tif 000129
【国際調査報告】
2010525482.tif 000130
2010525482.tif 000131